(57)【特許請求の範囲】
【請求項１】
挿入部の先端部の前方に照明光を照射するため前記先端部に設けられる半導体発光素子と、前記先端部に気体を送り込む挿入部送気管路と、前記先端部に液体を送り込む挿入部送液管路とを有するスコープと、
前記先端部に気体および液体を送り込むためのポンプと、前記半導体発光素子および前記ポンプに駆動電流を供給する電力供給手段と、前記液体が貯留された送液タンクとを有し、前記スコープの操作部に着脱自在に取付けられる送気送液ユニットとを備え、
前記送気送液ユニットに設けられた第１の接続部と前記操作部に設けられた第２の接続部が接続されることにより、前記挿入部送気管路が前記ポンプと連結され、前記送気送液ユニットに設けられた第３の接続部と前記操作部に設けられた第４の接続部が接続されることにより、前記挿入部送液管路が前記送液タンクと連結され、前記送気送液ユニットに設けられた第５の接続部と前記操作部に設けられた第６の接続部が接続されることにより、前記ポンプが前記操作部に設けられた吸気口と連結され、
前記第１、第３、および第５の接続部は、前記送気送液ユニットが前記操作部から取り外された状態において密閉される弁構造を有し、
前記第２、第４、および第６の接続部は、前記送気送液ユニットが前記操作部に取付けられるとき前記弁構造を開放する弁開放手段を有することを特徴とする携帯内視鏡。
【請求項２】
前記弁構造は、弁体と、開口部が形成され、前記弁体を保持する保持部と、前記保持部内に配設され、前記開口部が閉塞されるよう前記弁体を付勢する付勢手段とを備えることを特徴とする請求項１に記載の携帯内視鏡。
【請求項３】
前記弁開放手段は、前記送気送液ユニットが前記操作部に取付けられた状態において、前記弁体を前記付勢手段の付勢力と反対方向に押すよう設けられる突起部材であることを特徴とする請求項２に記載の携帯内視鏡。
【請求項４】
前記第１および第３の接続部が入れ子状に構成されることを特徴とする請求項２に記載の携帯内視鏡。
【請求項５】
前記第３の接続部の前記弁体は円筒状を呈し、前記第１の接続部は前記第３の接続部の前記弁体内に配設されることを特徴とする請求項４に記載の携帯内視鏡。
【請求項６】
前記第１、第３、および第５の接続部は入れ子状に構成されることを特徴とする請求項２に記載の携帯内視鏡。
【請求項７】
前記第３の接続部の前記弁体、および前記第５の接続部の前記弁体は円筒状を呈し、前記第１の接続部は前記第３の接続部の前記弁体内に配設され、前記第３の接続部は前記第５の接続部の前記弁体内に配設されることを特徴とする請求項６に記載の携帯内視鏡。
【発明の詳細な説明】
【０００１】
【発明の属する技術分野】
本発明は、送気送液機能を有する内視鏡に関する。
【０００２】
【従来の技術】
従来、内視鏡のスコープは光源装置に接続されて使用される。スコープが光源装置に接続されると、スコープ内を挿通するよう設けられたライトガイドが光源装置内のハロゲンランプ等の光源に光学的に接続される。光源の射出光はライトガイドによりスコープ先端まで導かれ、スコープ先端より前方に照明光として照射される。照明光は観察部位により反射され、スコープ先端に設けられた対物レンズを介してイメージガイドに入射する。反射光はイメージガイドにより操作部の接眼部まで導かれ、接眼部の接眼光学系を介して観察部位の観察が可能となる。
【０００３】
また、内視鏡は送気送液機能を備えている。操作部に設けられた送気送液ボタンを適宜操作することにより、スコープの先端部から気体や液体が噴出させられ、上述の対物レンズを保護する観察窓の表面に付着した曇りの除去、体内への送気、観察窓の表面の洗浄等が行なわれる。先端部に送り込まれる洗浄水は、内視鏡とは別体の送液タンクに貯留されている。送液タンクは、チューブを介して、挿入部の送気送液チャンネルを挿通する送気送液チューブに接続される。気体や液体の送り込みは光源装置内に設けられたポンプを介して行われる。
【０００４】
【発明が解決しようとする課題】
このように、内視鏡を使用するにあたっては、光源装置や送液タンクといった周辺装置が必要とされる。したがって、内視鏡と共にこれらの周辺装置の運搬およびセッテイングを行わなければならず、携帯性の面で問題があった。
【０００５】
また、内視鏡はスコープの挿入部を患者の体内に挿入して操作する医療器具であるため良好な操作性が求められる。ところが、上述のように、内視鏡は光源装置、送液タンクにそれぞれケーブルを介して接続されなければならず、光源装置は、内蔵された光源およびポンプに駆動電流を供給するため電源ケーブルを介して商用電源に接続されなければならない。すなわち、複数のケーブルが交錯することになり、内視鏡を操作するにあたって煩わしいという問題がある。さらに、光源装置は据付型の周辺装置であり、スコープの操作に応じて自由に動かせるものではなく、一方、電源ケーブルは医療現場の所定位置に設けられた商用電源のコンセントに接続される。したがって、内視鏡の操作は実際に使用される医療現場の場所的な制約を受けざるを得ない。このように、従来の内視鏡は操作性の面でも満足のいくものではなかった。
【０００６】
本発明は以上の問題を解決するものであり、操作性および携帯性の面で優れた内視鏡を提供することを目的とする。
【０００７】
【課題を解決するための手段】
本発明に係る携帯内視鏡は、挿入部の先端部の前方に照明光を照射するため先端部に設けられる半導体発光素子と、先端部に気体を送り込む挿入部送気管路と、先端部に液体を送り込む挿入部送液管路とを有するスコープと、先端部に気体および液体を送り込むためのポンプと、半導体発光素子およびポンプに駆動電流を供給する電力供給手段と、液体が貯留された送液タンクとを有し、スコープの操作部に着脱自在に取付けられる送気送液ユニットとを備え、送気送液ユニットに設けられた第１の接続部と操作部に設けられた第２の接続部が接続されることにより、挿入部送気管路がポンプと連結され、送気送液ユニットに設けられた第３の接続部と操作部に設けられた第４の接続部が接続されることにより、挿入部送液管路が送液タンクと連結され、送気送液ユニットに設けられた第５の接続部と操作部に設けられた第６の接続部が接続されることにより、ポンプが操作部に設けられた吸気口と連結され、第１、第３、および第５の接続部は、送気送液ユニットが操作部から取り外された状態において密閉される弁構造を有し、第２、第４、および第６の接続部は、送気送液ユニットが操作部に取付けられるとき弁構造を開放する弁開放手段を有することを特徴とする。
【０００８】
選択的に、弁構造は、弁体と、開口部が形成され、弁体を保持する保持部と、保持部内に配設され、開口部が閉塞されるよう弁体を付勢する付勢手段とを備える。
【０００９】
弁開放手段は、例えば、送気送液ユニットが操作部に取付けられた状態において、弁体を付勢手段の付勢力と反対方向に押すよう設けられる突起部材である。
【００１０】
好ましくは、第１および第３の接続部が入れ子状に構成され、第３の接続部の弁体は円筒状を呈し、第１の接続部は第３の接続部の弁体内に配設される。
【００１１】
好ましくは、第１、第３、および第５の接続部は入れ子状に構成され、第３の接続部の弁体、および第５の接続部の弁体は円筒状を呈し、第１の接続部は第３の接続部の弁体内に配設され、第３の接続部は第５の接続部の弁体内に配設される。
【００１２】
以上のように、本発明によれば、送気送液ユニットがスコープの操作部に着脱自在に取付けられるため、スコープの携帯性が向上する。さらに、送気送液ユニットの各接続部が弁構造を有しており、送気送液ユニットがスコープの操作部から取り外された状態において弁構造は密閉される。したがって、携帯内視鏡の使用後の洗浄・消毒処理において各接続部へ洗浄用キャップを装着し忘れ、洗浄水や薬液が耐水性のないポンプへ浸入し、ポンプを破壊してしまうといったことが防止される。
【００１３】
また、各接続部への洗浄用キャップの着脱の必要がなくなるため、洗浄および消毒処理の手間が省かれる。
【００１４】
【発明の実施の形態】
以下、本発明の実施の形態を図面を参照して説明する。図１は本発明に係る第１実施形態が適用される携帯内視鏡の外観図であり、一部の部材は切り欠いて示される。ファイバースコープ１０は、患者の体内に挿入される可撓性導管である挿入部１１と、各種操作ボタンが設けられた操作部１２と、操作部と一体的に設けられる接眼部１３とを備える。
【００１５】
図２は挿入部１１の先端を拡大して示す断面図である。挿入部１１の先端の開口部には適当な剛性材料、例えばステンレス等の耐腐食性金属から形成される先端部２０が固着されている。先端部２０には、挿入部１１を挿通するイメージガイド３０の先端を収容するための貫通孔３１が形成されている。イメージガイド３０は内視鏡像を伝達するためのライトガイド・ファイバー・バンドルであり、その先端には対物レンズ３２が配設される。貫通孔３１の開口部には、対物レンズ３２を保護すると共に貫通孔３１内部への異物の侵入を防止するための観察窓３３が固定されている。
【００１６】
さらに、先端部２０には断面に沿って貫通孔４１、４２が形成されている。貫通孔４１、４２の開口端近傍にはそれぞれＬＥＤ４３、４４が配設される。貫通孔４１、４２においてＬＥＤ４３、４４の出射光の光路上には配光光学系４５、４６が設けられる。配線Ｗ１１、Ｗ１２、Ｗ２１、Ｗ２２はＬＥＤ４３、４４に駆動電流を供給するための配線である。
【００１７】
図３は、先端部２０の正面図であり、各部の相対的位置関係が模式的に示される。尚、図２の断面は図３における線Ｉ−Ｉ矢視断面に相当する。送気ノズル５１および送水（送液）ノズル５２は、挿入部１１内に形成された送気チャンネル、送水（送液）チャンネル（図示せず）を挿通しており、それぞれ空気（気体）、洗浄水（液体）が噴出され、観察窓３３の曇りの除去や、洗浄が行なわれる。鉗子チャンネル５３からは処置具、例えば生検鉗子のカップ部が露出され、患部の組織片の切除等が行なわれる。尚、空気および洗浄水の先端部２０への送り込みについては後述する。
【００１８】
再び図１を参照すると、挿入部１１と操作部１２を連結する連結部１４には、上述の鉗子チャンネル５３と連続している鉗子口６０が設けられる。生検用鉗子やブラシ等の処置具はこの鉗子口６０から挿入され、鉗子チャンネル５３内を挿通させられて挿入部１１の先端へ導かれる。
【００１９】
操作部１２には、送気送水ボタン７１および吸引ボタン７２が設けられる。送気送水ボタン７１の上部の穴（図示せず）をふさぐと、先端部２０の送気ノズル５１（図３参照）から空気が噴出し、対物レンズ３２を保護する観察窓３３の表面の曇りの除去や体内への送気が行なわれる。送気送水ボタン７１を押し込むと、先端部２０の送水ノズル５２（図３参照）から洗浄水が噴出し、観察窓３３の表面の洗浄等が行なわれる。また、鉗子口６０に鉗子栓（図示せず）を装着した状態で吸引ボタン７２を押し込むと、吸引ニップル７３を介して接続される吸引器（図示せず）により、先端部２０において鉗子チャンネル５３の開口部から吸引が行なわれ、観察窓３３の表面に付着した水滴や粘液等の除去や、体内空気の排除が行なわれる。
【００２０】
吸引ニップル７３の近傍には操作部１２に対して着脱自在に取付けられる送気送水ユニット１５が設けられている。送気送水ユニット１５は、ユニット本体８０と上述の洗浄水が貯留された送水タンク８１とを備える。ユニット本体８０は、操作部１２の送気送水ボタン７１および吸引ボタン７２の反対側において、操作部１２の長手方向と交差する方向に延設されており、操作部１２に固定される。
【００２１】
図４は、操作部１２と送気送水ユニット１５の接続部分を中心に拡大して示す図であり、ユニット本体８０および送水タンク８１は一部切り欠かれており、その内部が模式的に示される。ユニット本体８０内には送気ポンプ８２とバッテリ８３が配設される。送気ポンプ８２はダイヤフラムポンプであり、操作部１２側に設けられる吸気口から吸気チューブ８４を介して取り込んだ外部の空気を送気送水ボタン７１、送気ノズル５１、送水タンク８１へ送り込むよう構成される。送気ポンプ８２は送水タンク８１と送気チューブ８５を介して連結されている。バッテリ８３は、送気ポンプ８２および先端部２０に設けられるＬＥＤ４３、４４へ駆動電流を供給する電池である。
【００２２】
ユニット本体８０の側面にはユニット側接続部１００が設けられる。ユニット側接続部１００は、送水管路接続部１１０と、送気管路接続部１２０と、吸気口接続部１３０を有する。送水管路接続部１１０は、送水タンク８１内に配設された送水チューブ８６に連結されている。送気管路接続部１２０は、送水タンク８１と送気チューブ８７により連結されている。吸気口接続部１３０は、上述の吸気チューブ８４により送気ポンプ８２と連結されている。
【００２３】
操作部１２において吸引ニップル７３の近傍の側面には、操作部側接続部２００が設けられる。操作部側接続部２００は、送水口金部２１０と、送気口金部２２０と、吸気口開口口金２３０を有する。送気送水ユニット１５は、送水管路接続部１１０と送水口金部２１０、送気管路接続部１２０と送気口金部２２０、吸気口接続部１３０と吸気口開口口金２３０を、それぞれ接続することにより、操作部１２に取付けられる。
【００２４】
図５は送水管路接続部１１０の縦断面図である。円柱状の固定部材１１１は、ユニット本体８０の側面８０Ａに形成された穴に固定的に嵌合している。固定部材１１１と側面８０Ａとの間にはＯリング１１８が配設されており、水密性が保たれる。固定部材１１１には貫通穴１１１Ａが形成されており、貫通穴１１１Ａには接続部材を介して上述の送水チューブ８６が接続されている。固定部材１１１の一方の端面には、全周にわたって所定の高さを有する壁部１１１Ｂが一体的に形成されており、この端面と壁部１１１Ｂにより凹部が形成されている。壁部１１１Ｂには円筒状の蓋部材１１２が嵌合しており、壁部１１１Ｂと蓋部材１１２との間にはＯリング１１３が介在させられており、水密性が保たれる。蓋部材１１２の底面の中央部分には開口部が形成されており、開口部の周縁部には固定部材１１１と反対側に所定の高さで突出する壁状の被嵌合部１１２Ａが形成されている。また、蓋部材１１２の底面において被嵌合部１１２Ａの周囲には、２つの挿通穴１１２Ｂが形成されている。
【００２５】
弁体１１４は、上述の固定部材１１１の凹部と蓋部材１１２の中空部分により形成されるスペースに配設される。弁体１１４は略円柱状を呈しており、本体部分１１４Ａの外径は固定部材１１１および蓋部材１１２の内径よりやや小さく、固定部材１１１および蓋部材１１２と本体部分１１４Ａとの間には間隙が形成されている。弁体１１４の被押圧部１１４Ｂは蓋部材１１２の底面近傍の内壁面と相互補完的な形状を呈する。
【００２６】
弁体１１４の本体部分１１４Ａの外周面にはコイルスプリング１１５が配設される。コイルスプリング１１５の一方の端部は固定部材１１１の凹部の底面に接し、他方の端部は弁体１１４の被押圧部１１４Ｂに接しており、コイルスプリング１１５は弁体１１４を図５中、左方向へ付勢している。したがって、弁体１１４が外力を受けない状態では、蓋部材１１２の開口部は弁体１１４により常時閉塞されている。また、弁体１１４がコイルスプリング１１５により付勢された状態で被押圧部１１４Ｂの蓋部材１１２と当接する部分にはＯリング１１６が配設されており、水密性が保たれる。
【００２７】
固定部材１１１の壁部１１１Ｂにはリング状の取付筒１１７が固定されている。取付筒１１７は壁部１１１Ｂおよび蓋部材１１２の外周面との間に所定の間隙が形成されるよう配設される。
【００２８】
図６は送水口金部２１０の縦断面図である。円筒状の口金２１１は、一方の開口部近傍において操作部１２の側面１２ＡにＯリング２１２を介して固定されている。口金２１１には円柱状のピン支持部２１３が固定的に嵌合している。ピン支持部２１３の略中央には、嵌合部２１４が一体的に形成されている。また、ピン支持部２１３において嵌合部２１４の周囲には２本の押圧ピン２１５が固定されている。ピン支持部２１３および嵌合部２１４には貫通穴２１６が形成されており、貫通穴２１６には操作部１２内を挿入部１１の先端部まで挿通する送水管路が接続されている。
【００２９】
図７は、送水管路接続部１１０が送水口金部２１０に接続された状態を示す縦断面図である。送水口金部２１０の口金２１１は、送水管路接続部１１０の蓋部材１１２と取付筒１１７の間の間隙に挿入され、口金２１１には蓋部材１１２が嵌合する。また、送水管路接続部１１０の被嵌合部１１２Ａには送水口金部２１０の嵌合部２１４が嵌合する。さらに、送水口金部２１０の押圧ピン２１５がそれぞれ対応する送水管路接続部１１０側の挿通穴１１２Ｂを挿通しており、弁体１１４の被押圧部１１４Ｂをコイルスプリング１１５の付勢力に抗して押圧している。したがって、弁体１１４は図７中の右方向へ変位しており、蓋部材１１２と弁体１１４との間に間隙が形成される。
【００３０】
すなわち、送水チューブ８６と操作部１２の送水管路が連結される貫通穴２１６との間には、固定部材１１１と弁体１１４との間の間隙、蓋部材１１２と弁体１１４との間の間隙、蓋部材１１２の開口部からなる洗浄水の通路が形成される。
【００３１】
尚、送気管路接続部１２０および送気口金部２２０の構成は、それぞれ送水管路接続部１１０、送水口金部２１０と同様であり、図７に示す構成と同様に接続されるので、説明は省略する。
【００３２】
図８は吸気口接続部１３０の縦断面図である。略円柱状の固定部材１３１は、ユニット本体８０の側面８０Ａに形成された穴に固定されている。固定部材１３１と側面８０Ａの穴との間にはＯリング１３２が介在させられており、水密性が保たれる。固定部材１３１の一方の端面には所定の深さを有する凹部１３１Ａが形成されている。固定部材１３１には、その軸芯に相当する位置に貫通穴１３１Ｂが形成されている。貫通穴１３１Ｂには送気ポンプ８２に空気を送り込むための吸気チューブ８４が連結部材を介して接続されている。また、貫通穴１３１Ｂは凹部１３１Ａの底面において開口している。
【００３３】
略円筒状の蓋部材１３３は、固定部材１３１の凹部１３１Ａを覆うように配設され、凹部１３１Ａの開口部分の周縁に沿って環状に形成された取付部１３４にＯリング１３５を介して嵌合している。蓋部材１３３の底面の略中央には、開口部が形成されている。
【００３４】
略円柱状の弁体１３６は、蓋部材１３３の中空部分と凹部１３１Ａにより形成されるスペースに配設される。弁体１３６の本体部分１３６Ａの外径は固定部材１３１の凹部１３１Ａおよび蓋部材１３３の内径よりやや小さく、固定部材１３１および蓋部材１３３と本体部分１３６Ａとの間には間隙が形成されている。弁体１３６の被押圧部１３６Ｂは蓋部材１３３の底面近傍の内壁面と相互補完的に嵌合する形状を呈する。
【００３５】
弁体１３６の本体部分１３６Ａの外周面にはコイルスプリング１３７が配設される。コイルスプリング１３７の一方の端部は固定部材１３１の凹部１３１Ａの底面に接し、他方の端部は弁体１３６の被押圧部１３６Ｂに接しており、コイルスプリング１３７は弁体１３６を図８中、左方向へ付勢している。したがって、弁体１３６が外力を受けない状態では、蓋部材１３３の開口部は弁体１３６により常時閉塞されている。また、弁体１３６がコイルスプリング１３７に押圧された状態で被押圧部１３６Ｂの蓋部材１３３と当接する部分にはＯリング１３８が配設されており、水密性が保たれる。
【００３６】
固定部材１３１の外周面にはリング状の取付筒１３９が固定されている。取付筒１３９と固定部材１３１との間には所定の間隙が形成されている。
【００３７】
図９は吸気口金部２３０の縦断面図である。円柱状の口金２３１は、一方の開口部近傍において操作部１２の側面１２ＡにＯリング２３２を介して固定されている。口金２３１には外気を吸気するための吸気口２３１Ａが形成されている。口金２３１には円筒状のピン支持部２３３がＯリング２３４を介して固定的に嵌合し、ピン支持部２３３には、略円柱状の押圧部材２３５がＯリング２３６を介して固定的に嵌合している。押圧部材２３５の略中央には押圧ピン２３７が一体的に突設されている。
【００３８】
図１０は、吸気口接続部１３０が吸気口金部２３０に接続された状態を示す縦断面図である。吸気口金部２３０の口金２３１は、吸気口接続部１３０の固定部材１３１と取付筒１３９の間の間隙に挿入され、口金２３１には固定部材１３１が嵌合する。吸気口金部２３０の押圧ピン２３７は、吸気口接続部１３０の蓋部材１３３の開口部から挿入され、弁体１３６の被押圧部１３６Ｂをコイルスプリング１３７の付勢力に抗して押圧している。したがって、弁体１３６は図１０中の右方向へ変位しており、蓋部材１３３と弁体１３６との間に間隙が形成される。すなわち、吸気口２３１Ａと吸気チューブ８４との間には、口金２３１、蓋部材１３３、固定部材１３１により形成されるスペース、蓋部材１３３の開口部、蓋部材１３３および固定部材１３１と弁体１３６との間の間隙からなる空気の通路が形成される。
【００３９】
ファイバースコープ１０を使用するとき、送気ポンプ８２は常時、作動させられている。送気ポンプ８２の作動により、吸気口接続部１３０と吸気口金部２３０の接続部分に形成される空気の通路を介して、吸気口２３１Ａから外気が吸気され、吸気チューブ８４を介して送水ポンプ８２へ送られ、さらに送水ポンプ８２から送気チューブ８５を介して送水タンク８１内へ送り込まれる。
【００４０】
送水タンク８１内へ送り込まれた空気は、上述の送気管路接続部１２０と送気口金部２２０との間に形成される空気の通路を介して、操作部１２内の送気管路へ送り込まれる。この状態で送気送水ボタン７１の上部の穴がふさがれると、送気管路へ送り込まれた空気は、送気ノズル５１へ送り込まれ、上述のように送気ノズル５１から空気が噴出する。
【００４１】
また、送気送水ボタン７１が押し込まれると、送水タンク８１へ送り込まれた空気が外部に排出されなくなる。その結果、送水タンク８１の気圧が上昇し、送水タンク８１内の洗浄水が送水チューブ８６から送り出される。送水チューブ８６から送り出される洗浄水は、図７に示す送水管路接続部１１０と送水口金部２１０の接続部分に形成された洗浄水の通路を介して操作部１２の送水管路へ導かれ、送水ノズル５２へ送り込まれる。その結果、送水ノズル５２から洗浄水が噴出される。
【００４２】
図１１は、本発明に係る第２実施形態が適用される携帯内視鏡の送気送水接続部３１０の縦断面図である。略円筒状の固定部材３１１は、ユニット本体８０の側面８０Ａに形成された穴に固定的に嵌合している。固定部材３１１とユニット本体８０との間にはＯリング３１２が配設されており、水密性が保たれる。ユニット本体８０の外方に位置する固定部材３１１の底面３１３には貫通穴３１３Ａ、３１３Ｂが形成されている。貫通穴３１３Ａには連結筒を介して上述の送水チューブ８６が連接され、貫通穴３１３Ｂには連結筒を介して上述の送気チューブ８７が接続されている。底面３１３には、全周にわたって所定の高さを有する壁部３１４が一体的に形成されており、底面３１３と壁部３１４により凹部が形成されている。
【００４３】
壁部３１４には円筒状の第１蓋部材３１５が固定的に嵌合しており、壁部３１４と第１蓋部材３１５との間にはＯリング３１６が介在させられる。壁部３１４の外径と第１蓋部材３１５の外径は同一であり、互いに嵌合した状態においてその外周面には段部は形成されていない。第１蓋部材３１５の底面の中央部分には開口部が形成されており、開口部の周縁部には固定部材３１１と反対側に所定の高さで突出する壁状の嵌合部３１７が形成されている。
【００４４】
上述の固定部材３１１の凹部と第１蓋部材３１５の中空部分により形成されるスペースに略円柱状の弁体３１８が配設される。弁体３１８の本体部分３１８Ａの外径は固定部材３１１の壁部３１４および第１蓋部材３１５の内径よりやや小さく、固定部材３１１および第１蓋部材３１５と本体部分３１８Ａとの間には間隙が形成されている。弁体３１８の被押圧部３１８Ｂは第１蓋部材３１５の底面近傍の内壁面と相互補完的に嵌合する形状を呈する。
【００４５】
弁体３１８の本体部分３１８Ａの外周面にはコイルスプリング３１９が配設される。コイルスプリング３１９の一方の端部は固定部材３１１の底面３１３に接し、他方の端部は弁体３１８の被押圧部３１８Ｂに接しており、コイルスプリング３１９は弁体３１８を図１１中、左方向へ付勢している。したがって、弁体３１８が外力を受けない状態において、第１蓋部材３１５の開口部は弁体３１８により常時閉塞されている。また、被押圧部３１８ＢにはＯリング３２０が配設されており、図１１の状態において水密性が保たれる。
【００４６】
略円筒状の第２蓋部材３２１は、上述の固定部材３１１の壁部３１４および第１蓋部材３１５を取り囲むよう、固定部材３１１の底面３１３に相当する外周面にＯリング３２２を介して固定的に嵌合されている。第２蓋部材３２１の底面には開口部が形成されており、第１蓋部材３１５の底面がこの開口部内に位置している。円筒状の弁体３２３は、固定部材３１１の底面３１３の壁部３１４と第１蓋部材３１５の嵌合体に、軸芯方向に沿って摺動可能に嵌合している。換言すれば、弁体３１８が収容されている、固定部材３１１の壁部３１４と第１蓋部材３１５の嵌合体は、弁体３２３に入れ子状に配設されている。
【００４７】
弁体３２３の本体部分３２３Ａの外径は、第２蓋部材３２１の内径より小さく、したがって、弁体３２３と第２蓋部材３２１との間には間隙が形成されている。弁体３２３の被押圧部３２３Ｂは、第２蓋部材３２１の内壁面と相互補完的に嵌合する形状を呈している。
【００４８】
弁体３２３の本体３２３Ａの周囲にはコイルスプリング３２４が配設される。コイルスプリング３２４の一方の端部は固定部材３１１の底面３１３に接し、他方の端部は弁体３２３の被押圧部３２３Ｂに接しており、弁体３２３を図１１中、左方向に常時付勢している。したがって、弁体３２３が外力を受けない状態において、第２蓋部材３２１の開口部は、弁体３２３により閉塞されている。また、弁体３２３がコイルスプリング３２４により付勢された状態で被押圧部３２３Ｂの第２蓋部材３２１と当接する部分には、Ｏリング３２５が設けられており、水密性が保たれる。
【００４９】
固定部材３１１の外周面にはリング状の取付筒３２６が固定されている。取付筒３２６は第２蓋部材３２１の外周面との間に所定の間隙が形成されるよう配設される。
【００５０】
図１２は、送気送水接続部３１０が接続される送気送水口金部４１０の縦断面図である。円筒状の口金４１１は、一方の開口部近傍において操作部１２の側面１２ＡにＯリング４１２を介して固定されている。口金４１１には円柱状のピン支持部４１３が固定的に嵌合している。ピン支持部４１３の略中央には所定の深さを有する凹部が形成されており、この凹部に第１押圧ピン４１４が配設される。第１押圧ピン４１４は円筒状の本体４１４Ａと、本体４１４Ａから突出する円柱状の突部４１４Ｂとを有する。本体４１４Ａはピン支持部４１３の凹部に固定的に嵌合する大径部と、大径部より小径の小径部とを有している。ピン支持部４１３と小径部との間には環状の間隙が形成されている。本体４１４Ａにおいて突部４１４Ｂの反対側には所定の深さを有する穴４１４Ｃが形成されている。本体４１４Ａの小径部には軸芯に沿って延びる２本の貫通穴４１４Ｄが穿設されている。図１２に示すように、貫通穴４１４Ｄは穴４１４Ｃに連通している。
【００５１】
略円筒状の被嵌合筒４１５は、上述のピン支持部４１３と第１押圧ピン４１４の本体４１４Ａの小径部との間の環状の間隙において、本体４１４Ａの小径部に固定的に嵌合している。
【００５２】
ピン支持部４１３において被嵌合筒４１５の周囲には、２本の円柱状の第２押圧ピン４１６が固定されている。また、ピン支持部４１３には軸芯に沿って延びる２つの貫通穴４１３Ａ、４１３Ｂが形成されている。貫通穴４１３Ａはピン支持部４１３の上述の凹部に連通しており、すなわち、第１押圧ピン４１４の穴４１４Ｃに連通している。貫通穴４１３Ａには操作部１２内の送水管路が接続されている。貫通穴４１３Ｂは口金４１１の内部に連通し、操作部１２内の送気管路が接続されている。
【００５３】
図１３は、送気送水管路接続部３１０が送気送水口金部４１０に接続された状態を示す縦断面図である。送気送水口金部４１０の口金４１１は、送気送水管路接続部３１０の第２蓋部材３２１と取付筒３２６の間の間隙に挿入され、口金４１１には第２蓋部材３２１が嵌合する。また、送気送水口金部４１０の被嵌合筒４１５には送気送水管路接続部３１０の嵌合部３１７が嵌合する。
【００５４】
送気送水口金部４１０の第１押圧ピン４１４は、弁体３１８の被押圧部３１８Ｂをコイルスプリング３１９の付勢力に抗して押圧し、弁体３１８は図１３中の右方向へ変位しており、第１蓋部材３１５と弁体３１８との間に間隙が形成される。すなわち、送水チューブ８６と操作部１２の送水管路が連結される貫通穴４１３Ａとの間には、固定部材３１１の壁部３１４と弁体３１８との間の間隙、第１蓋部材３１５と弁体３１８との間の間隙、第１蓋部材３１５の開口部、第１押圧ピン４１４の貫通穴４１４Ｄ、穴４１４Ｃからなる洗浄水の通路が形成される。
【００５５】
同様に、送気送水口金部４１０の第２押圧ピン４１６は、弁体３２３の被押圧部３２３Ｂをコイルスプリング３２４の付勢力に抗して押圧し、弁体３２３は図１３中、右方向へ変位しており、第２蓋部材３２１と弁体３２３との間に間隙が形成される。すなわち、送気チューブ８７と操作部１２の送気管路が連結される貫通穴４１３Ｂとの間には、第２蓋部材３２１と弁体３２３との間の間隙、第２蓋部材３２１の開口部、口金４１１と被嵌合筒４１５により形成されるスペースから成る空気の通路が形成される。
【００５６】
尚、第２実施形態における送水ポンプ８２への送気の構成は、図８〜図１０に示す第１実施形態の吸気口接続部１３０と吸気口金部２３０の構成と同様であるので説明は省略する。また、送気送水ボタン７１の操作による、外気の吸気、送水ノズル５１および送気ノズル５２への洗浄水、空気の送り込みの動作は、第１実施形態と同様である。
【００５７】
図１４は本発明に係る第３実施形態が適用される携帯内視鏡のユニット側接続部５００の縦断面図である。図１４中、第２実施形態の送気送水接続部３１０と同一の構成を有する部材には同一の符号が付されている。固定部材５０１は略カップ状を呈し、その円筒状の固定部５０２はユニット本体８０の側面８０Ａに形成された穴に固定的に嵌合している。固定部５０２とユニット本体８０Ａとの間にはＯリング５０３が配設されており、水密性が保たれる。固定部材５０１の底面部５０４は、固定部５０２の軸芯に垂直な円板状を呈する。固定部材５０１には、その軸芯に沿って延びる貫通穴５０１Ａが形成されている。貫通穴５０１Ａは、固定部５０２の外周面近傍に設けられており、一方の開口部は、底面部５０４の外周面と連続する固定部５０２の端面に位置している。底面部５０４上に設けられる壁部３１４、第１蓋部材３１５、嵌合部３１７、弁体３１８、コイルスプリング３１９からなる構成、第２蓋部材３２１、弁体３２３、コイルスプリング３２４から成る構成、および底面部５０４に形成される貫通穴３１３Ａ、３１３Ｂの構成は第２実施形態と同様である。
【００５８】
略円筒状の第３蓋部材５０５は、第２蓋部材３２１を取り囲むよう、固定部材５０１の固定部５０２の外周面にＯリング５０６を介して固定的に嵌合されている。第３蓋部材５０５の底面には開口部が形成されており、第２蓋部材３２１がこの開口部内に位置している。円筒状の弁体５０７は、第２蓋部材３２１に、軸芯方向に沿って摺動可能に嵌合している。すなわち、第３実施形態においては、弁体３１８が収容される壁部３１４と第１蓋部材３１５との嵌合体は、弁体３２３に入れ子状に配設され、弁体３２３が収容される第２蓋部材３２１と底面５０４との嵌合体は弁体５０７に入れ子状に配設されている。
【００５９】
弁体５０７の本体部分５０７Ａの外径は、第３蓋部材５０５の内径より小さく、したがって、弁体５０７と第３蓋部材５０５との間には間隙が形成されている。弁体５０７の被押圧部５０７Ｂは、第３蓋部材５０５の内壁面と相互補完的に嵌合する形状を呈している。
【００６０】
弁体５０７の本体５０７Ａの周囲にはコイルスプリング５０８が配設される。コイルスプリング５０８の一方の端部は、固定部材５０１の固定部５０２において底面部５０４の外周面と連続する端面に接し、他方の端部は、弁体５０７の被押圧部５０７Ｂに接しており、弁体５０７を図１４中、左方向に常時付勢している。したがって、弁体５０７が外力を受けない状態において、第３蓋部材５０５の開口部は、弁体５０７により閉塞されている。また、弁体５０７がコイルスプリング５０８により付勢された状態で被押圧部５０７Ｂの第３蓋部材５０５と当接する部分には、Ｏリング５０９が設けられており、水密性が保たれる。
【００６１】
固定部材５０１の外周面にはリング状の取付筒５１０が固定されている。取付筒５１０は、第３蓋部材５０５との間に所定の間隔をおいて、第３蓋部材５０５を覆うよう配設される。取付筒５１０には吸気口５１０Ａが穿設されている。
【００６２】
図１５は、ユニット側接続部５００が操作部１２に設けられる口金部６００に接続された状態を示す縦断面図である。略円筒状の口金６０１は、操作部の側面１２Ａに載置される基部６０１Ａ、操作部１２の側面１２Ａに形成された穴に固定的に嵌合する固定部６０１Ｂ、基部６０１Ａにおいて固定部６０１Ｂと反対側に突出するよう形成される押圧部６０１Ｃとを有する。尚、口金部６００において口金６０１を除くその他の部材の構成は第２実施形態の送気送水口金部４１０と同一であり、それらの各部材には同一の符号が付されている。
【００６３】
第２実施形態と同様、弁体３１８、３２３はそれぞれ第１押圧ピン４１４、第２押圧ピン４１６により図１５中の右方向へ変位させられており、その結果、送水タンク８１から操作部１２の送水管路および送気管路へ洗浄水および空気が送り込まれる。
【００６４】
さらに、第３実施形態においては、口金６０１の押圧部６０１Ｃがユニット側接続部５００の第２蓋部材３２１の外周面に摺接しており、押圧部６０１Ｃの端部は第３蓋部材５０５の開口部から内部側に位置し、弁体５０７の被押圧部５０７Ｂをコイルスプリング５０８の付勢力に抗して図１５中、右側へ押圧している。したがって、弁体５０７は、他の弁体３１８、３２３と同様、右側へ変位しており、弁体５０７と第３蓋部材５０５との間には間隙が形成されている。すなわち、吸気口５１０Ａと吸気チューブが接続される貫通穴５０１Ａとの間には、取付筒５１０と口金６０１により形成されるスペース、第３蓋部材５０５と弁体５０７との間の間隙からなる空気の通路が形成される。
【００６５】
送気ポンプ８２の作動により、ユニット側接続部５００と口金部６００の接続部分に形成される空気の通路を介して、吸気口５１０Ａから外気が吸気され、貫通穴５０１Ａ、吸気チューブ８４を介して送水ポンプ８２へ送られ、さらに送水ポンプ８２から送気チューブ８５を介して送水タンク８１内へ送り込まれる。送気送水ボタン７１の操作による、送水ノズル５１および送気ノズル５２への洗浄水、空気の送り込みの動作は、第１実施形態と同様である。
【００６６】
以上のように、第１〜第３実施形態によれば、送気送水ユニット１５を操作部１２から取り外した状態において、送気送水ユニット１５側に設けられる各接続部の蓋部材の開口部分は、弁体とコイルスプリングを備える弁構造により、遮蔽される。また、各接続部をユニット本体８０の側面８０Ａに固定する部分にはＯリングが配設されている。すなわち、各接続部の水密性が保持されている。したがって、したがって、スコープ１０の使用後、送気送水ユニット１５を洗浄するにあたって洗浄キャップ等の部品を各接続部に取り付ける必要がなく、洗浄処理が省略化される。洗浄キャップ等の取付忘れによるポンプの故障が防止される。なお本実施形態では、挿通穴１１２Ｂと押圧ピン２１５、および貫通穴４１４Ｄと第２押圧ピン４１６がそれぞれ２つずつ構成したが、それらは３つ以上の複数個で構成されてもよい。
【００６７】
【発明の効果】
以上のように、本発明によれば、送気送液ユニットがスコープの操作部に着脱自在に取付けられ、かつ送気送液ユニットの接続部は送気送液ユニットが操作部から取り外された状態において密閉されるよう構成される。したがって、使用後の洗浄処理において、接続部へ洗浄用キャップを付け忘れることによるポンプの故障が防止され、洗浄処理が省力化される。
【図面の簡単な説明】
【図１】本発明に係る第１実施形態が適用される携帯内視鏡の外観図である。
【図２】スコープの挿入部先端の断面図である。
【図３】スコープの挿入部先端の正面図である。
【図４】スコープの操作部と送気送水ユニットのそれぞれの接続部分近傍を拡大して示す図である。
【図５】第１実施形態の送水管路接続部の縦断面図である。
【図６】第１実施形態の送水口金部の縦断面図である。
【図７】第１実施形態の送水管路接続部と送水口金部が接続された状態を示す縦断面図である。
【図８】第１実施形態の吸気口接続部の縦断面図である。
【図９】第１実施形態の吸気口金部の縦断面図である。
【図１０】第１実施形態の吸気口接続部と吸気口金部が接続された状態を示す縦断面図である。
【図１１】本発明に係る第２実施形態が適用される携帯内視鏡の送気送水管路接続部の縦断面図である。
【図１２】第２実施形態の送気送水口金部の縦断面図である。
【図１３】第２実施形態の送気送水管路接続部と送気送水口金部が接続された状態を示す縦断面図である。
【図１４】本発明に係る第３実施形態が適用される携帯内視鏡のユニット側接続部の縦断面図である。
【図１５】第３実施形態のユニット側接続部と口金部が接続された状態を示す縦断面図である。
【符号の説明】
１０  ファイバースコープ
１１  挿入部
１２  操作部
１３  接眼部
１４  連結部
１５  送気送水ユニット
６０  鉗子口
７１  送気送水ボタン
７２  吸引ボタン
７３  吸引ニップル
８０  ユニット本体
８１  送水タンク
８２  送気ポンプ
８３  バッテリ
１１０  送水管路接続部
１１４、１３６  弁体
１１５、１３７  コイルスプリング
１２０  送気管路接続部
１３０  吸気口接続部
２１０  送水口金部
２２０  送気口金部
２３０  吸気口金部
【図１】
0003814174.tif 000002
【図２】
0003814174.tif 000003
【図３】
0003814174.tif 000004
【図４】
0003814174.tif 000005
【図５】
0003814174.tif 000006
【図６】
0003814174.tif 000007
【図７】
0003814174.tif 000008
【図８】
0003814174.tif 000009
【図９】
0003814174.tif 000010
【図１０】
0003814174.tif 000011
【図１１】
0003814174.tif 000012
【図１２】
0003814174.tif 000013
【図１３】
0003814174.tif 000014
【図１４】
0003814174.tif 000015
【図１５】
0003814174.tif 000016